【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  多チャネルデジタル放送の各チャネルの番組のデータと放送予定の番組を案内するための案内データとに基づいてデジタル変調されている搬送波である放送波から１チャネルの番組のデータを選択的に復調抽出する再生処理手段を含み、復調抽出された番組のデータを受像機に与えて番組を再生させるデジタル放送受信機において、
外部装置に対してデータを送信するためのデータ送信手段と、
再生処理手段に放送波から案内データを復調抽出させ、外部送信すべき番組表のデータを該案内データに基づいて作成する番組表作成手段と、
番組表のデータをデータ送信手段から外部装置に対して送信させる送信制御手段とを含むことを特徴とするデジタル放送受信機。
【請求項２】  外部装置がメールを受信可能なメール端末装置である場合、
前記送信制御手段は、前記番組表のデータを本文とする電子メールを作成し、前記データ送信手段に該電子メールを送信させることを特徴とする請求項１記載のデジタル放送受信機。
【請求項３】  条件指定のために操作される操作手段をさらに含み、
前記送信制御手段は、電子メール作成に先立ち、操作手段への番組表のデータ形式を指定するための所定操作に応答し、テキスト形式が指定される場合、前記番組表のデータのデータ形式をテキスト形式に変換し、バイナリ形式が指定される場合、前記番組表のデータのデータ形式をバイナリ形式のままに保つことを特徴とする請求項２記載のデジタル放送受信機。
【請求項４】  前記送信制御手段は、電子メール作成時に、
（１）前記番組表のデータ内の番組表の要素の配列を、番組表のデータ内における要素の予め定める配列フォーマットに応じた配列に変更し、
（２）配列変更後の番組表のデータおよび要素の配列フォーマットを本文とする電子メールを作成することを特徴とする請求項２または３記載のデジタル放送受信機。
【請求項５】  前記送信制御手段は、電子メール作成時に、
（１）番組表のデータを、該番組表の要素と該要素を表形式に配列するためのエレメントとを含むハイパーテキストに変換し、
（２）ハイパーテキストを本文とする電子メールを作成することを特徴とする請求項２または３記載のデジタル放送受信機。
【請求項６】  外部装置が印刷装置である場合、
前記送信制御手段は、前記番組表のデータを該番組表を画像化するための画像化データに変換し、前記データ送信手段に該画像化データを送信させることを特徴とする請求項１記載のデジタル放送受信機。
【請求項７】  着脱自在に接続されている記憶媒体にデータを書込む媒体書込み手段を含み、
記憶媒体は、外部装置に備えられている媒体読出し手段に接続可能であり、
前記送信制御手段は、媒体書込み手段に接続されている記憶媒体に、媒体書込み手段を用いて番組表のデータを書込むことを特徴とする請求項１〜６のうちのいずれか１項記載のデジタル放送受信機。
【請求項８】  外部装置へのデータ送信のための送信制御データを登録している送信先登録手段をさらに含み、
前記送信制御手段およびデータ送信手段は、登録されている外部装置の送信制御データを用いて処理を行うことを特徴とする請求項１〜７のうちのいずれか１項記載のデジタル放送受信機。
【請求項９】  条件指定のために操作される操作手段をさらに含み、
前記番組表作成手段は、操作手段への番組表に記載すべき番組の選択条件を指定するための所定操作に応答し、
（１）放送波から復調抽出されている全番組の案内データのうちから、指定されている選択条件に適合する番組の案内データを選択し、
（２）選択された案内データに基づき番組表のデータを作成することを特徴とする請求項１記載のデジタル放送受信機。
【請求項１０】  前記選択条件の１つが、チャネルであり、
前記番組表作成手段は、指定されているチャネルで放送される番組の案内データを選択することを特徴とする請求項９記載のデジタル放送受信機。
【請求項１１】  前記再生処理手段における選局の履歴を記憶している履歴記憶手段をさらに含み、
前記番組表作成手段は、
（１）前記選択条件の指定のための所定操作に先立ち、前記操作手段に対する選局履歴に基づく番組表作成を指定するための所定操作に応答して、選局履歴内のチャネルを報知し、
（２）前記操作手段に対する選択条件を指定するための所定操作に応答して、報知されているチャネルのうちの少なくとも１つを選択条件として指定することを特徴とする請求項１０記載のデジタル放送受信機。
【請求項１２】  前記選択条件の１つが、日時であり、
前記番組表作成手段は、指定されている日時に放送される番組の案内データを選択することを特徴とする請求項９〜１１のうちのいずれか１項記載のデジタル放送受信機。
【請求項１３】  前記選択条件の１つが、番組のジャンルであり、
前記番組表作成手段は、指定されているジャンルの番組の案内データを選択することを特徴とする請求項９〜１２のうちのいずれか１項記載のデジタル放送受信機。
【請求項１４】  前記選択条件の１つが、番組の個別指定結果であり、
前記番組表作成手段は、個別指定されている番組の案内データを選択することを特徴とする請求項９〜１３のうちのいずれか１項記載のデジタル放送受信機。
【請求項１５】  前記案内データは、番組の推薦状態を示すデータを含み、
前記選択条件の１つが、番組の推薦状態であり、
前記番組表作成手段は、復調抽出されている案内データ内の番組の推薦状態を示すデータによって推薦されている番組の案内データを抽出することを特徴とする請求項９〜１４のうちのいずれか１項記載のデジタル放送受信機。
【請求項１６】  条件指定のために操作される操作手段をさらに含み、
前記案内データは、番組の内容を示す詳細データを含み、
前記番組表作成手段は、操作手段への詳細データの番組表への追加を指定するための所定操作に応答して、作成されている番組表に記載される各番組の案内データから該各番組の詳細データを抽出し、該番組表のデータに該各番組の詳細データを加えることを特徴とする請求項１記載のデジタル放送受信機。
【請求項１７】  請求項４記載のデジタル放送受信機から送信される電子メールを受信するメール受信手段と、
画像化された番組表内における要素の配列パターンを記憶している配列パターン記憶手段と、
記憶されている要素の配列パターンと受信されている電子メール内の要素の配列フォーマットとに基づき、該電子メール内の番組表のデータの各要素を表形式に配列する配列手段とを含むことを特徴とするメール端末装置。
【請求項１８】  電子メールを受信するメール受信手段を含むコンピュータにインストールされるメール端末制御ソフトウエアを記憶する記憶媒体であって、
メール端末制御ソフトウエアは、
画像化された番組表内における要素の配列パターンを示すデータと、
コンピュータに、請求項４記載のデジタル放送受信機から送信される電子メールをメール受信手段を用いて受信させ、該電子メール内の項目の配列フォーマットと要素の配列パターンとに基づいて該電子メール内の番組表のデータ各要素を表形式に配列させる制御プログラムとを含むことを特徴とするメール端末制御ソフトウエアを記憶する記憶媒体。
【手続補正２】
【補正対象書類名】明細書
【補正対象項目名】００４３
【補正方法】削除
【補正の内容】
【手続補正３】
【補正対象書類名】明細書
【補正対象項目名】００４４
【補正方法】削除
【補正の内容】